【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
複数の品物（Ｃ）を収容するためのカートン（３）であって、該カートンは、
前記カートンの内部周辺に少なくとも部分的に延在する複数のパネル（１１、１３、１９、２５、３１）であって、トップパネル（１１、３１）、ボトムパネル（１９）、第１のサイドパネル（１３）、および第２のサイドパネル（２５）を備える複数のパネルと、
前記複数のパネルのうちのそれぞれのパネルにそれぞれ折り曲げ可能に取り付けられる少なくとも２つの端部フラップ（３５、４５、５５、６５、７５）であって、互いに重なり合うことによって、前記カートンの端部（２０７）を少なくとも部分的に閉じる、少なくとも２つの端部フラップ（３５、４５、５５、６５、７５）と、
前記カートンから品物を取り出せるようにするためのディスペンサ（７）であって、前記カートンにおける切取線（２１５、２１７）によって少なくとも部分的に画定され、ディスペンサ開口（１２９）を少なくともさらに開くために、少なくとも部分的に取り外されるディスペンサパネル（１２７）を備え、前記サイドパネル（１３、２５）のうちの少なくとも１つにおいて端部を有する、ディスペンサ（７）と、を備え、
前記切取線は、カートンの閉じられた端部において、上部切取線（２１７）と下部切取線（２１５）と、を備え、前記上部切取線と下部切取線は離間して、前記閉じられた端部にわたってそれぞれ延在し、
前記サイドパネル（１３、２５）の少なくとも一方にアクセスパネル（１６５、１６７）が設けられており、前記サイドパネルからの前記端部の分離を開始して前記端部を掴んでディスペンサパネル（１２７）を取り外すのために、前記アクセスパネルは内側に折り曲げられるようにされており、前記アクセスパネルは前記端部に隣接して、前記サイドパネルの少なくとも一方に折り曲げ可能に取り付けられている、カートン。
【請求項２】
前記少なくとも２つの端部フラップは、前記第１のサイドパネル（１３）に折り曲げ可能に取り付けられる第１のサイド端部フラップ（４５）と、前記第２のサイドパネル（２５）に折り曲げ可能に取り付けられる第２のサイド端部フラップ（６５）と、を備える、請求項１に記載のカートン。
【請求項３】
前記ディスペンサパネル（１２７）は、前記第１のサイドパネル（１３）の一部と、前記第２のサイドパネル（２５）の一部と、前記第１のサイド端部フラップ（４５）の一部と、前記第２のサイド端部フラップ（６５）の一部と、を含む、請求項２に記載のカートン。
【請求項４】
前記上部切取線（２１７）は曲線であり、かつ前記閉じられた端部の中央に配置されていて下方に突出するリップ（２２１）を形成し、前記下部切取線（２１５）は、直線であり、且つ少なくとも２インチ（５０ｍｍ）の最低距離（Ｄ１）だけ前記上部切取線から離間している、請求項１に記載のカートン。
【請求項５】
前記ディスペンサは、前記ディスペンサ開口（１２９）を拡大するためのヒンジ（３０５）と回動フラップ（３１５）とを備え、前記ヒンジは、前記第１のサイドパネル（１３）と前記第２のサイドパネル（２５）のそれぞれに曲線の切取線（３１１、３１３）を備え、前記回動フラップは、少なくとも前記閉じられた端部の一部（２０７）と、前記第１のサイドパネル（１３）の一部と、前記第２のサイドパネル（２５）の一部と、を備える、請求項１に記載のカートン。
【請求項６】
前記アクセスパネル（１６５）は、前記第１および第２のサイドパネル（１３、２５）の一方に折り曲げ可能に接続される作動パネル（１７３）を備え、前記アクセスパネル（１６５）は、前記作動パネルに折り曲げ可能に接続される２つのアクセスフラップ（１８１、１８３）を備え、前記アクセスフラップは、前記ディスペンサパネルの端部を画定する切取線（１３７）に沿って前記ディスペンサパネル（１２７）から分離可能である、請求項１に記載のカートン。
【請求項７】
前記端部フラップは、トップ端部フラップ（３５、７５）とボトム端部フラップ（５５）とを備え、前記トップ端部フラップは、前記トップ端部フラップに折り曲げ可能に取り付けられたトップコーナーパネル（１０３、１１１）を有し、前記ボトム端部フラップは、前記ボトム端部フラップに折り曲げ可能に取り付けられたボトムコーナーパネル（１２１）を有し、前記トップコーナーパネルは、前記カートンの前記閉じられた端部においてトップ斜角コーナー（５）を形成し、前記ボトムコーナーパネルは、前記カートンの前記閉じられた端部においてボトム斜角コーナー（５）を形成する、請求項１に記載のカートン。
【請求項８】
カートンを形成するためのブランク（１）であって、
複数のパネル（１１、１３、１９、２５、３１）であって、トップパネル（１１、３１）と、ボトムパネル（１９）と、第１のサイドパネル（１３）と、第２のサイドパネル（２５）と、を備える複数のパネル（１１、１３、１９、２５、３１）と、
前記複数のパネルのうちのそれぞれのパネルにそれぞれ折り曲げ可能に取り付けられた少なくとも２つの端部フラップ（３５、４５、５５、６５、７５）と、
少なくとも１つのディスペンサパネル（１２７）を備えるディスペンサ機能部であって、該ディスペンサパネル（１２７）は、前記ブランクから前記ディスペンサパネルを少なくとも部分的に分離するために、切取線（２１５、２１７）によって少なくとも部分的に画定され、ディスペンサは前記サイドパネル（１３、２５）のうちの少なくとも一方に端部を有する、ディスペンサ機能部と、
前記サイドパネルのうちの少なくとも一方にあり、前記サイドパネルからの前記ディスペンサの端部の分離および前記ディスペンサパネル（１２７）の取り外しのために前記端部を掴むことを開始するように内側に折り曲げられるようにされている、アクセスパネル（１６５、１６７）であって、前記アクセスパネルは前記ディスペンサの端部に隣接して、前記サイドパネルのうちの少なくとも一つに折り曲げ可能に取り付けられている、アクセスパネル（１６５、１６７）とを備え、前記切取線は前記少なくとも２つの端部フラップに２つの離間する切取線（２１５、２１７）を備え、前記２つの切取線がそれぞれ前記少なくとも２つの端部フラップにわたって延在する、ブランク。
【請求項９】
前記少なくとも２つの端部フラップは、前記第１のサイドパネル（１３）に折り曲げ可能に取り付けられる第１のサイド端部フラップ（４５）と、前記第２のサイドパネル（２５）に折り曲げ可能に取り付けられる第２のサイド端部フラップ（６５）と、を備え、前記ディスペンサパネル（１２７）は、前記第１のサイドパネル（１３）の一部と、前記第２のサイドパネル（２５）の一部と、前記第１のサイド端部フラップ（４５）の一部と、前記第２のサイド端部フラップ（６５）の一部と、を含む、請求項８に記載のブランク。
【請求項１０】
前記２つの離間する切取線のうちの一方（２１７）は曲線であり、前記離間する切取線のうちの他方（２１５）は直線であり、且つ前記切取線（２１５、２１７）は、少なくとも２インチ（５０ｍｍ）の最低距離（Ｄ１）だけ離間している、請求項８に記載のブランク。
【請求項１１】
前記ディスペンサ機能部は、ヒンジ（３０５）と回動フラップ（３１５）とをさらに備え、前記ヒンジは、前記第１のサイドパネル（１３）および前記第２のサイドパネル（２５）のそれぞれに曲線の切取線（３１１、３１３）を備え、前記回動フラップは、前記サイド端部フラップ（４５、６５）の少なくとも一部と、前記第１のサイドパネル（１３）の一部と、前記第２のサイドパネル（２５）の一部と、を備える、請求項８に記載のブランク。
【請求項１２】
前記アクセスパネル（１６５）は、前記第１および第２のサイドパネル（１３、２５）のうちの一方に折り曲げ可能に接続される少なくとも１つの作動パネル（１７３）を備え、前記アクセスパネル（１６５）は、前記作動パネルに折り曲げ可能に接続される２つのアクセスフラップ（１８１、１８３）を備え、前記アクセスフラップは、前記ディスペンサパネル（１２７）の端部を画定する切取線（１３７）に沿って前記ディスペンサパネル（１２７）から分離可能である、請求項８に記載のブランク。
【請求項１３】
カートン（３）を開く方法であって、該方法は、
カートン（３）を設けるステップを含み、該カートン（３）は、該カートンの内部周辺に少なくとも部分的に延在する複数のパネル（１１、１３、１９、２５、３１）を有し、前記複数のパネルは、トップパネル（１１、３１）と、ボトムパネル（１９）と、第１のサイドパネル（１３）と、第２のサイドパネル（２５）を備え、前記カートン（３）は、前記複数のパネルのそれぞれのパネルに折り曲げ可能にそれぞれ取り付けられた端部フラップ（３５、４５、５５、６５、７５）を有し、前記端部フラップは互いに重なり合うことによって、前記カートンの閉じられた端部（２０７）を少なくとも部分的に形成し、前記カートン（３）は、前記カートンの切取線（２１５、２１７）によって少なくとも部分的に画定されるディスペンサパネル（１２７）を備えるディスペンサ（７）と、上部切取線（２１７）およびこれに離間する下部切取線（２１５）を備える前記切取線と、を有し、前記上部および下部切取線のそれぞれは前記閉じられた端部にわたって延在し、前記ディスペンサパネルは、前記サイドパネル（１３、２５）のうちの少なくとも一方に端部を、および前記サイドパネル（１３、２５）のうちの少なくとも一方にアクセスパネル（１６５、１６７）を有し、前記アクセスパネルは前記端部に隣接して、前記サイドパネルのうちの少なくとも一方に折り曲げ可能に取り付けられており、
当該方法は、
前記アクセスパネル（１６５、１６７）を内側に折り曲げることによって、前記ディスペンサパネルの前記端部から前記アクセスパネルを少なくとも部分的に分離し、前記ディスペンサパネル（１２７）にアクセスできるようにするステップと、
前記ディスペンサパネルの前記端部を掴み、前記上部および下部切取線に沿って、前記カートンを少なくとも部分的に切り取ることにより、前記カートンから前記ディスペンサパネルを少なくとも部分的に分離することによって、前記カートンにディスペンサ開口（１２９）を形成するステップと、を含む方法。
【請求項１４】
前記ディスペンサ開口（１２９）を通して、前記カートンから容器（Ｃ）を取り出すステップをさらに備える、請求項１３に記載の方法。
【請求項１５】
前記方法は、回動フラップ（３１５）を回動させて前記ディスペンサ開口（１２９）を拡大することによって、前記カートンの前記ディスペンサ開口のサイズを大きくするステップをさらに備え、前記カートンは、前記第１のサイドパネル（１３）および前記第２のサイドパネル（２５）のそれぞれにある曲線の切取線（３１１、３１５）によって形成されるヒンジ（３０５）を備え、前記ディスペンサ部を回動する前記ステップは前記曲線の切取線に沿って前記回動フラップを分離するステップを備える、請求項１３に記載の方法。
【請求項１６】
前記アクセスパネル（１６５）を内側に折り曲げるステップは、作動パネル（１７３）を内側に折り曲げることによって、前記カートンから２つのアクセスフラップ（１８１、１８３）を分離するステップを備え、前記カートンは、前記第１のサイドパネル（１３）に少なくとも１つの切取線（１３５、１４１）と、前記第２のサイドパネル（２５）に少なくとも１つの切取線（１４９、１５３）と、を備え、前記ディスペンサ開口は、前記第１のサイドパネルおよび前記第２のサイドパネルの切取線に沿って、前記カートンを切り取ることによって形成される、請求項１３に記載の方法。
【手続補正２】
【補正対象書類名】明細書
【補正対象項目名】００３０
【補正方法】変更
【補正の内容】
【００３０】
図８は、本発明の第２の実施形態の、概して３０３と示されているカートンを形成するための、概して３０１と示されているブランクを示す。第２の実施形態のカートン３０３は、第１の実施形態のカートン３にほぼ類似するが、カートン３０３は、容器Ｃを、より容易に取り出すことができるように、ディスペンサ開口１２９を拡大できるようにする、概して３０５（図９）で示されているヒンジを含む点が異なる。従って、同様な参照番号は、第１と第２の実施形態の類似または同一な機能を示すために使用されている。ヒンジは、ディスペンサ７の第３の切取線１３５から横方向の折り目２１まで延在する、ブランク３０１の第１の曲線の切取線３１１と、ディスペンサの第８の切取線１４９から横方向の折り目２７まで延在する第２の曲線の切取線３１３と、を含む。ディスペンサ７の第１および第２の曲線の切取線３１１、３１３、および、第１、第３、第６および第８の切取線１３１、１３５、１３５、１４１、１４９は、カートン３０３の回動フラップ３１５を画定する。図示された実施形態では、回動フラップ３１５は、サイド端部フラップ４５，６５の少なくとも一部と、第１のサイドパネル１３と、第２のサイドパネル２５と、を備える。回動フラップ３１５は、本発明から逸脱することなく、その他の形状および配置とすることができる。